(57)【要約】【課題】  収集した事例情報群を解析する作業が極めて容易に行える事例情報集計装置を、提供する。【解決手段】  事例情報集計装置を、検索作業を行うオペレータが操作しているコンピュータのディスプレイ上に、複数の検索条件が，各検索条件を選択した際に検索されることになる事例情報の数に応じた順番で並んだリスト５２Ｌが表示される検索用のＷｅｂページを表示する装置であって、リスト５２Ｌから選択された検索条件で事例情報の検索を行う装置として構成しておく。【選択図】  図１０
2006164003.tif 000002
【特許請求の範囲】
【請求項１】
医療に関する事例情報を複数個記憶可能な事例情報記憶手段と、
前記事例情報記憶手段からの事例情報の検索条件をオペレータに指定させるために、ディスプレイ上に、複数の検索条件が示された検索条件リストを表示する検索条件リスト表示手段であって、前記検索条件リストとして、前記複数の検索条件が、各検索条件を選択した際に検索されることになる事例情報の数に応じた順番で並んだものを表示する検索条件リスト表示手段
とを、備えることを特徴とする事例情報集計装置。
【請求項２】
前記検索条件リスト表示手段が表示する検索条件リストに示される各検索条件が、既に検索されている事例情報群に対する絞り込み検索条件として使用される条件である
ことを特徴とする請求項１記載の事例情報集計装置。
【請求項３】
コンピュータを、
医療に関する事例情報を記憶しておくための事例情報記憶手段と、
前記事例情報記憶手段からの事例情報の検索条件をオペレータに指定させるために、ディスプレイ上に、複数の検索条件が示された検索条件リストを表示する検索条件リスト表示手段であって、前記検索条件リストとして、前記複数の検索条件が、各検索条件を選択した際に検索されることになる事例情報の数に応じた順番で並んだものを表示する検索条件リスト表示手段
とを、備える装置として動作させることを特徴とする事例情報集計プログラム。
【請求項４】
前記検索条件リスト表示手段が、他のコンピュータで実行されているＷｅｂブラウザのウィンドウ内に前記検索条件リストを表示する手段である
ことを特徴とする請求項３記載の事例情報集計プログラム。
【請求項５】
医療に関する事例情報を記憶しておくための事例情報データベースから事例情報を検索するための事例情報検索方法であって、
コンピュータに、
複数の検索条件のそれぞれについて、その検索条件を満たす事例情報を前記事例情報データベースから検索した際に検索されることになる事例情報の数を管理する管理ステップと、
前記事例情報データベースからの事例情報の検索条件をオペレータに指定させるために、ディスプレイ上に、前記複数の検索条件が，前記管理ステップにて各検索条件について管理されている前記事例情報の数に応じた順番で並んだ検索条件リストを表示する検索条件リスト表示ステップ
とを、実行させることを特徴とする事例情報検索方法。
【発明の詳細な説明】
【技術分野】
【０００１】
本発明は、医療機関のリスクマネージメントを行うために使用される事例情報集計装置，事例情報集計プログラム及び事例情報検索方法に、関する。
【背景技術】
【０００２】
近年の一般的な医療機関では、医療に関連する各種問題が発生するのを防止できるようにするために、発生した問題の内容を示す情報（以下、事例情報と表記する）をデータベース化しておき、そのデータベースの内容を解析することにより、各種問題が発生しないようにするための対策を取ることが行われている（例えば、特許文献１，２参照）。
【０００３】
そのような目的のために用いられている既存の装置／プログラムは、データベース内に記憶されている事例情報の検索／集計時に、予め定められた順番で複数の検索条件が並んだリスト（以下、検索条件リストと表記する）がディスプレイ上に表示され、当該リストから選択した検索条件による検索／集計が行われるものとなっている。
【０００４】
すなわち、既存の装置／プログラムは、或る問題と相関が強い事象を正確に把握するためには、検索条件リストに示された各検索条件で実際に検索を行って見なければならないものとなっている。
【特許文献１】特開平２００４−１７１５３７号公報
【特許文献２】特開平２００４−３０５５４号公報
【発明の開示】
【発明が解決しようとする課題】
【０００５】
そこで、本発明の課題は、収集した事例情報群を解析する作業が極めて容易に行える事例情報集計装置，事例情報集計プログラム及び事例情報検索方法を、提供することにある。
【課題を解決するための手段】
【０００６】
上記課題を解決するために、本発明の事例情報集計装置は、医療に関する事例情報を複数個記憶可能な事例情報記憶手段と、事例情報記憶手段からの事例情報の検索条件をオペレータに指定させるために、ディスプレイ上に、複数の検索条件が示された検索条件リストを表示する検索条件リスト表示手段であって、検索条件リストとして、複数の検索条件が、各検索条件を選択した際に検索されることになる事例情報の数に応じた順番で並んだものを表示する検索条件リスト表示手段とを、備える。
【０００７】
すなわち、本発明の事例情報集計装置は、検索作業を行うオペレータが操作している装置（事例情報集計装置或いは他装置）のディスプレイ上に、複数の検索条件が，各検索条件を選択した際に検索されることになる事例情報の数に応じた順番で並んだ検索条件リストが表示され、その検索条件リストから選択した検索条件によって事例情報の検索が行われる構成を有する。従って、本発明の事例情報集計装置は、検索条件リストに示されている全ての検索条件による検索を行わなくても、収集した事例情報群の内容を正確に解析することが出来る装置として機能することになる。
【０００８】
なお、本発明の事例情報集計装置の実現するに際しては、検索条件リスト表示手段として、複数の検索条件が、各検索条件を選択した際に検索されることになる事例情報の数に応じた順番（当該事例情報の数と強い相関を有する順番）で並んだ検索条件リストを表示ものでありさえすれば、どのような手段を採用しても良い。また、検索条件リスト表示手段が表示する検索条件リストに示される各検索条件が、いわゆる絞り込み検索条件となるように、本発明の事例情報集計装置を構成しておいても良い。
【０００９】
そして、本発明の事例情報集計プログラムは、コンピュータを、本発明の事例情報集計装置相当の装置として動作させることが出来るものとなっており、本発明の事例情報検索方法は、本発明の事例情報集計装置に対するものと同様の手順でオペレータが検索作業を行えるものとなっている。従って、本発明の事例情報集計プログラム或いは事例情報検索方法を用いた場合にも、極めて簡単に（検索条件リストに示されている全ての検索条件による検索を行うことなく）、収集した事例情報群の内容を正確に解析することが出来る環境を実現できることになる。
【発明を実施するための最良の形態】
【００１０】
以下、本発明を実施するための最良の形態を、図面を参照して詳細に説明する。
【００１１】
まず、図１〜図５を用いて、本発明の一実施形態に係る事例情報集計装置１０の概要を説明する。
【００１２】
図１に模式的に示してあるように、本実施形態に係る事例情報集計装置１０は、何台かのクライアントＰＣ３０とネットワーク接続された状態で使用される装置である。また、事例情報集計装置１０は、コンピュータ２０のＨＤＤ２１に、事例情報集計プログラム１１，事例情報データベース１２，リスト情報データベース１３，各種のＷｅｂページ用データ（図示せず）等を記憶することによって実現された装置となっている。
【００１３】
事例情報データベース１２は、図２に模式的に示してあるように、医療機関で発生した各種問題（医療に関係する出来事）について、その問題の発生場所，種類，発生要因，レポート番号等からなる情報（以下、事例情報と表記する）を記憶可能な構成のデータベースである。なお、事例情報集計装置１０は、この事例情報データベース１２が空の状態（事例情報が１個も記憶されていない状態）で、その運用が開始される装置となっている。
【００１４】
事例情報集計装置１０内に記憶されている各Ｗｅｂページ用データは、事例情報集計装置１０（事例情報集計プログラム１１）が，それを要求したクライアントＰＣ３０（Ｗｅｂブラウザ）に返送するデータ（ＨＴＭＬデータやイメージデータ）である。
【００１５】
事例情報集計装置１０内には、事例情報登録ページをＷｅｂブラウザに表示させることが出来るＷｅｂページ用データや、事例情報検索ページをＷｅｂブラウザに表示させることが出来るＷｅｂページ用データが、用意されている。
【００１６】
ここで、事例情報登録ページとは、事例情報を事例情報データベース１２に登録（追加）する作業を行えるＷｅｂページのことである。この事例情報登録ページには、複数の項目（“問題の種類”，“発生場所”等）のそれぞれについて、その項目の値を設定（選択）するためのセレクトボックスが設けられている。また、事例情報登録ページには、それを押下すると、各セレクトボックスの設定値を示す情報を含むＨＴＴＰリクエスト（以下、登録リクエストと表記する）が事例情報集計装置１０に対して送信されることになる登録ボタンも設けられている。
【００１７】
事例情報検索ページは、所望の条件を満たす事例情報を事例情報データベース１２から検索する作業を行うための，図３に示した構成のＷｅｂページである。
【００１８】
この事例情報検索ページが備える項目名選択用ボックス５１は、検索対象とする項目名を指定するためのフォーム部品である。この項目名選択用ボックス５１は、図４に示してあるように、ボタン５１Ｂを操作すると、検索対象として選択可能な複数の項目名（“問題の種類”、“発生要因”等）が示された項目名リスト５１Ｌが表示され、表示された項目名リスト５１Ｌ上の１つの項目名を選択すると、その項目名が項目名選択用ボックス５１内に表示されるものとなっている。
【００１９】
項目値選択用ボックス５２は、検索する項目値を指定するためのフォーム部品である。この項目名選択用ボックス５１は、図５に示してあるように、ボタン５２Ｂを操作すると、複数の項目値が並んだ項目値リスト５２Ｌが表示され、表示された項目値リスト５２Ｌ上の１つの項目値を選択すると、その項目値が項目値選択用ボックス５２内に示されるものとなっている。また、この項目値選択用ボックス５２は、ボタン５２Ｂの操作時に表示される項目値リスト５２Ｌの種類が、項目名選択用ボックス５１内に表示されている項目名によって自動的に変わるものとなっている。より具体的には、事例情報検索ページは、そのＨＴＭＬデータ中に、項目名選択用ボックス５１の設定値に応じて、項目値選択用ボックス５２に関するoption値を変更するスクリプトが含まれるものとなっている。
【００２０】
検索ボタン５３（図３）は、それを押下すると、絞り込み検索ページ用のＨＴＭＬデータを作成・返送する処理である絞り込み検索ページ提供処理（詳細は後述）が事例情報集計装置１０にて行われ、その結果として、この事例情報検索ページと外観上は同一構成の，検索結果が検索結果表示欄５４内に示されている絞り込み検索ページが事例情報検索ページの代わりに表示されることになるボタンである。
【００２１】
以上のことを前提として、以下、本実施形態に係る事例情報集計装置１０の構成及び動作をさらに具体的に説明する。
【００２２】
まず、登録リクエスト受信時における事例情報集計装置１０の動作と、リスト情報データベース１３の構成とを、説明する。
【００２３】
既に説明したように、事例情報登録ページを表示しているクライアントＰＣ３０（Ｗｅｂブラウザ）は、事例情報登録ページ上の登録ボタンが押下されると、事例情報登録ページ上の各セレクトボックスの設定値を示す情報を含む登録リクエストを事例情報集計装置１０に対して送信する。
【００２４】
この登録リクエストを受信した事例情報集計装置１０は、当該登録リクエストに含まれる情報に応じた内容の事例情報を事例情報データベース１２に登録（追加）する処理と、リスト情報データベース１３の内容を更新するためのリスト情報データベース更新処理とを、行う。
【００２５】
リスト情報データベース更新処理によりその内容が更新されるリスト情報データベース１３は、同一項目に関する項目値と項目名との組合せ（例えば、項目値“転倒転落”と項目名“問題の種類”との組合せ）を除いた，項目値と項目名との各種組合せについて、リスト情報テーブルを含むデータベースである。
【００２６】
このリスト情報データベース１３に含まれる，或る項目値と或る項目名との組合せに対応づけられているリスト情報テーブルは、図６（Ａ），（Ｂ）に例示したように、自テーブルが対応づけられている項目名（自テーブルが対応づけられている項目値と項目名との組合せに含まれる項目名）に関する項目値毎に、その項目の相対的な重要度を考慮して予め定められている数値情報である補正係数と，出現頻度（詳細は後述）と，補正係数と出現頻度との乗算結果である表示順指標値とを記憶したテーブルである。
【００２７】
なお、リスト情報データベース１３内の各リスト情報テーブルに記憶される各情報の詳細（意味，用途）については後述するが、補正係数は、図６（Ａ），（Ｂ）から推定されるように、同一のリスト情報テーブル内の各補正係数が，原則として一致するように（重要でない項目値に関する補正係数のみが小さくなるように）、かつ、項目値総数がより少ないリスト情報テーブルや，より重要でない項目に関するリスト情報テーブル内の補正係数の方が小さくなるように、その値が定められる情報となっている。また、本事例情報集計装置１０は、このリスト情報データベース１３内の各リスト情報テーブル中の出現頻度及び表示順指標値が全て“０”となっている状態で、その運用が開始される装置となっている。
【００２８】
そして、登録リクエスト受信時に事例情報集計装置１０が実行するリスト情報データベース更新処理は、図７に示した手順の処理となっている。
【００２９】
すなわち、リスト情報データベース更新処理を開始した事例情報集計装置１０は、まず、受信した登録リクエストが示している事例情報（事例情報データベース１２に登録した事例情報）中の未処理の２項目値を、第１項目値，第２項目値として特定する(ステップＳ１０１)。なお、このステップＳ１０１の処理は、項目値Ａ，項目値Ｂを、それぞれ、第１項目値，第２項目値とした処理が既に完了していても、項目値Ｂ，項目値Ａを、それぞれ、第１項目値，第２項目値とした処理が完了していなかった場合には、項目値Ｂ，項目値Ａを、未処理の２項目値として取り扱う処理となっている。
【００３０】
次いで、事例情報集計装置１０は、リスト情報データベース１３内に記憶されている，第１項目値と，第２項目値の項目名との組合せに対応づけられているリスト情報テーブル中の第２項目値に関する出現頻度に“１”を加算する処理(ステップＳ１０２)と、当該リスト情報テーブル中の第２項目値に関する表示順指標値を同一レコード内の出現頻度と補正係数との乗算結果に変更する処理(ステップＳ１０３)とを行う。
【００３１】
その後、事例情報集計装置１０は、受信した登録リクエストが示している事例情報中の全ての２項目値に対する処理が完了したか否かを判断(ステップＳ１０４)し、全ての２項目値に対する処理が完了していなかった場合(ステップＳ１０４；ＮＯ)には、ステップＳ１０１からの処理を再び開始する。なお、このステップＳ１０４の処理も、上記したステップＳ１０１の処理と同様に、項目値Ａ，項目値Ｂを、それぞれ、第１項目値，第２項目値とした処理が完了していても、項目値Ｂ，項目値Ａを、それぞれ、第１項目値，第２項目値とした処理が完了していなかった場合には、全ての２項目値に対する処理が完了していないと判断する処理となっている。
【００３２】
そして、事例情報集計装置１０は、全ての２項目値の組合せに対する処理が完了していた際(ステップＳ１０４；ＹＥＳ)に、このリスト情報データベース更新処理を終了する。
【００３３】
要するに、このリスト情報データベース更新処理は、任意の項目値と任意の項目名とに対応づけられているリスト情報テーブル中の各項目値に関する出現頻度が、その時点において事例情報データベース１２内に記憶されている，それら２つの項目値を含む事例情報の数と一致し、かつ、各リスト情報テーブル中の各表示順指標値が，同一の項目値に関する出現頻度と補正係数との乗算結果と一致しているように、リスト情報データベース１３の内容を更新する処理となっている。
【００３４】
次に、事例情報検索ページ（図３参照）上の検索ボタン５３押下時における事例情報集計装置１０の動作を、説明する。
【００３５】
事例情報検索ページ上の検索ボタン５３は、それを押下すると、事例情報検索ページを表示しているクライアントＰＣ３０が、項目名選択用ボックス５１内に表示されている項目名を示す項目名指定情報と項目値選択用ボックス５２内に表示されている項目値を示す項目値指定情報とを含む検索リクエストを事例情報集計装置１０に対して送信するボタンとなっている。
【００３６】
この検索リクエストを受信した事例情報集計装置１０は、図８に示した手順の絞り込み検索ページ提供処理を行う。
【００３７】
すなわち、検索リクエストを受信した事例情報集計装置１０は、まず、当該検索リクエストで指定されている検索条件を満たす事例情報を事例情報データベース１２から検索する(ステップＳ２０１)。より具体的には、このステップＳ２０１において、事例情報集計装置１０は、受信した検索リクエストに含まれる項目名指定情報が示している項目名（以下、処理対象項目名と表記する）で識別される項目の値が，当該検索リクエストに含まれる項目値指定情報が示している項目値（以下、処理対象項目値と表記する）と一致している事例情報を事例情報データベース１２から検索する処理を行う。
【００３８】
次いで、事例情報集計装置１０は、リスト情報データベース１３内に記憶されている，処理対象項目値に対応づけられている各リスト情報テーブル（対応付けられている項目値と項目名の組合せ中の項目値が処理対象項目値と一致している各リスト情報テーブル）内の情報を読み出す処理(ステップＳ２０２)を行う。なお、このステップで各リスト情報テーブルから読み出される情報は、項目値と表示順指標値だけである。
【００３９】
その後、事例情報集計装置１０は、項目値及び表示順指標値を読み出したリスト情報テーブル毎に、そのリスト情報テーブルに記憶されていた最も大きな表示順指標値を，そのリスト情報テーブルに対応付けられている項目名（図では、対応項目名）に関する最大表示順指標値として特定する(ステップＳ２０３)。
【００４０】
そして、事例情報集計装置１０は、検索結果表示欄５４内に、ステップＳ１０１の処理による検索結果が示される絞り込み検索ページであって、ボタン５１Ｂの押下時には、最大表示順指標値の降順で各項目名が上方から並んだ項目名リスト５１Ｌが表示され、ボタン５２Ｂの押下時には、項目名選択用ボックス５１にて選択されている項目名に関する各項目値が表示順指標値の降順で上方から並んだ項目値リスト５２Ｌが表示される絞り込み検索ページをＷｅｂブラウザに表示させるためのＨＴＭＬデータを作成して検索リクエストの送信元クライアントＰＣ３０に返送(ステップＳ２０４)してから、この絞り込み検索ページ提供処理を終了する。
【００４１】
以下、事例情報データベース１２の内容が図２に示したものである状況下、“問題の種類”が“転落転倒”である事例情報の検索が指示された場合を例に、本事例情報集計装置１０の動作（絞り込み検索ページ提供処理の内容）をさらに具体的に説明する。なお、「“問題の種類”が“転落転倒”である事例情報の検索が指示された場合」とは、「項目名選択用ボックス５１内，項目値選択用ボックス５２内に，それぞれ，“問題の種類”，“転落転倒”が表示されている状態で事例情報検索ページ上の検索ボタン５３が押下された場合」のことである。
【００４２】
この場合、事例情報集計装置１０が受信する検索リクエストには、“問題の種類”を示す項目名指定情報と“転倒転落”を示す項目値指定情報とが、含まれている。このため、事例情報集計装置１０は、まず、“問題の種類”の値が、“転倒転落”となっている事例情報を事例情報データベース１２から検索する(図８：ステップＳ１０１)。
【００４３】
次いで、事例情報集計装置１０は、リスト情報データベース１３に記憶されている，“転倒転落”に対応づけられている各リスト情報テーブル内の項目値及び表示順指標値を読み出す処理(ステップＳ２０２)と、読み出した情報に基づき，各項目名に関する最大表示順指標値を特定する処理(ステップＳ２０３)とを、行う。
【００４４】
事例情報データベース１２の内容が図２に示したものである場合、リスト情報データベース１３内に記憶されている，項目値“転落転倒”と項目名“発生要因”とに対応づけられているリスト情報テーブルは、図６（Ａ）に示した内容のものとなっている。また、項目値“転落転倒”と項目名“発生場所”とに対応づけられているリスト情報テーブルは、図６（Ｂ）に示した内容のものとなっている。このため、ステップＳ２０３の処理では、“発生要因”に関する最大表示順指標値が“３”であると特定され、“発生場所”に関する最大表示順指標値が“１．２”であると特定されることになる。
【００４５】
その後、事例情報集計装置１０は、上記したステップＳ２０４の処理を行うので、検索作業者が使用しているクライアントＰＣ３０のディスプレイ上には、図９に示したような絞り込み検索ページ、すなわち、“問題の種類”を除いた各種項目名が最大表示順指標値の降順で上から並んだ項目名リスト５１Ｌを表示させることが可能な絞り込み検索ページが表示されることになる。また、当該絞り込み検索ページは、図１０及び図１１に示してあるように、ボタン５２Ｂを操作すると、各種項目名に関する各項目値が、対応する事例情報テーブルに記憶されていた表示順指標値の降順で上から並んだ項目値リスト５２Ｌが表示されるものとなる。
【００４６】
そして、既に説明したように、リスト情報データベース１３は、任意の項目値と任意の項目名とに対応づけられているリスト情報テーブル中の各項目値に関する出現頻度が、その時点において事例情報データベース１２内に記憶されている，それら２つの項目値を含む事例情報数と一致するように、かつ、各リスト情報テーブル中の表示順指標値が，同一の項目値に関する出現頻度と補正係数との乗算結果と一致しているように、その内容が更新されるデータベースとなっている。また、各リスト情報テーブル内の補正係数は、同一のリスト情報テーブル内の各補正係数が原則として一致するように、項目値総数がより少ないリスト情報テーブルや，より重要でない項目に関するリスト情報テーブル内の補正係数の方が小さくなるように、その値が定められた情報となっている。
【００４７】
従って、ここで説明を行っている場合に検索作業者に提供される絞り込み検索ページは、項目名リスト５１Ｌの内容や項目値リスト５２Ｌの内容から、“転倒転落”との相関性が高い項目名や項目値が何であるかを検索作業者が即座に把握できるＷｅｂページとして機能することになる。
【００４８】
最後に、絞り込み検索ページ（図９等参照）上の検索ボタン５３押下時における事例情報集計装置１０の動作を簡単に説明しておくことにする。
【００４９】
絞り込み検索ページ上の検索ボタン５３は、その押下時に、事例情報検索ページ上の検索ボタン５３の押下時に送信されるものと同構成の検索リクエストが事例情報集計装置１０に対して送信されるボタンとなっている。また、事例情報集計装置１０は、いわゆるセッション管理を行う機能を有する装置として構成されており、上記した絞り込み検索ページ提供処理（図８）は、受信した検索リクエストが、或る検索作業者によって最初に送信されたものであった場合に実行される処理となっている。
【００５０】
そして、事例情報集計装置１０は、或る検索作業者によって送信されたＮ（≧２）回目の検索リクエストに対しては、図１２に示した手順の絞り込み検索ページ提供処理を実行するように構成されている。
【００５１】
すなわち、或る検索作業者（以下、処理対象検索作業者と表記する）によって送信されたＮ（≧２）回目の検索リクエストを受信した事例情報集計装置１０は、まず、処理対象検索作業者によって送信された総計Ｎ個の検索リクエストで指定されている検索条件を全て満たす事例情報を事例情報データベース１２から検索する(ステップＳ３０１)。
【００５２】
次いで、事例情報集計装置１０は、リスト情報データベース１３内に記憶されている，処理対象検索作業者によって１回目に送信された検索リクエスト中で指定されていた項目値（以下、処理対象項目値と表記する）に対応づけられている各リスト情報テーブル（対応付けられている項目値と項目名の組合せ中の項目値が処理対象項目値と一致している各リスト情報テーブル）内の情報を読み出す処理(ステップＳ３０２)を行う。
【００５３】
その後、事例情報集計装置１０は、項目値及び表示順指標値を読み出したリスト情報テーブル毎に、そのリスト情報テーブルに記憶されていた最も大きな表示順指標値を，そのリスト情報テーブルに対応付けられている項目名（図では、対応項目名）に関する最大表示順指標値として特定する(ステップＳ３０３)。
【００５４】
そして、事例情報集計装置１０は、検索結果表示欄５４内に、ステップＳ３０１の処理による検索結果が示される絞り込み検索ページであって、ボタン５１Ｂの押下時には、最大表示順指標値の降順で，検索に使用されていない各項目名が上方から並んだ項目名リスト５１Ｌが表示され、ボタン５２Ｂの押下時には、項目名選択用ボックス５１にて選択されている項目名に関する各項目値が表示順指標値の降順で上方から並んだ項目値リスト５２Ｌが表示される絞り込み検索ページをＷｅｂブラウザに表示させるためのＨＴＭＬデータを作成して検索リクエストの送信元クライアントＰＣ３０に返送(ステップＳ３０４)してから、この絞り込み検索ページ提供処理を終了する。
【００５５】
要するに、事例情報集計装置１０は、或る検索作業者によって送信されたＮ（≧２）回目の検索リクエストを受信した場合、当該検索作業者が使用しているクライアントＰＣ３０のディスプレイ上に、それまで表示されていた絞り込み検索ページよりも、項目名リスト５１Ｌ内に示されている項目名数，及び，表示させることが可能な項目値リスト５２Ｌの種類が少ない絞り込み検索ページであって、いわゆる絞り込み検索結果が検索結果表示欄５４内に示されている絞り込み検索ページを表示させる装置となっている。
【００５６】
以上、詳細に説明したように、本実施形態に係る事例情報集計装置１０は、項目名リスト５１Ｌの内容や項目値リスト５２Ｌの内容から、適切な検索条件（検索される事例情報の数が多い検索条件，重要な検索結果が得られる検索条件）が何であるかを把握できる絞り込み検索ページを、各検索作業者に提供できる装置となっている。従って、この事例情報集計装置１０を用いれば、適切な検索条件を見出す作業を行わなくて済む分、既存の装置／プログラムよりも、簡単に、収集した事例情報群の内容を正確に解析出来ることになる。
【００５７】
＜変形形態＞
上記した事例情報集計装置１０は、各種の変形を行うことが出来る。例えば、事例情報検索ページに、検索条件を指定するためのセレクトボックスとして、表示順指標値が比較的に大きい２種類の項目値の組合せを示す情報（例えば、“転倒転落＆薬変更”，“転倒転落＆病室”）が、表示順指標値の順で並んだリストが表示されるセレクトボックスを付加しておくことが出来る。また、事例情報検索ページに、同様の機能を有するリストボックスを付加しておくことも出来る。また、事例情報検索ページ上に表示される項目値リスト５２Ｌが、各種項目値が、事例情報データベース１２内の出現頻度順に並んだものとなるようにしておくことも出来る。
【００５８】
また、リスト情報データベース１３の内容更新が、事例情報データベース１２に所定数（≧２）の事例情報が追加された際に行われるように、事例情報集計装置１０を変形しても良く、リスト情報データベース１３の内容更新が、定期的に行われるように、事例情報集計装置１０を変形しても良く、絞り込み検索ページを要求されたときに、その師盛り込み検索ページ用のＨＴＭＬデータの作成に必要な表示順指標値だけを算出するように、事例情報集計装置１０を変形しても良い。
【００５９】
また、事例情報集計装置１０を、Ｍ（≧３）回目以降の各検索リクエストに対しても、項目名リスト５１Ｌ／項目値リスト５２Ｌ上での項目名／項目値の並び順を、事例情報データベース１２の内容（事例情報データベース１２に記憶されている，Ｍ種の項目値を含む事例情報の数等）に基づき決定する装置に変形することも出来る。
【００６０】
また、事例情報集計装置１０を、自身が備えるディスプレイのみに各種Ｗｅｂページ相当の各種画面を表示させることが出来る装置に変形しても良いことなどは、当然のことである。
【００６１】
（付記１）  医療に関する事例情報を複数個記憶可能な事例情報記憶手段と、
前記事例情報記憶手段からの事例情報の検索条件をオペレータに指定させるために、ディスプレイ上に、複数の検索条件が示された検索条件リストを表示する検索条件リスト表示手段であって、前記検索条件リストとして、前記複数の検索条件が、各検索条件を選択した際に検索されることになる事例情報の数に応じた順番で並んだものを表示する検索条件リスト表示手段
とを、備えることを特徴とする事例情報集計装置。
【００６２】
（付記２）  前記検索条件リスト表示手段が表示する検索条件リストに示される各検索条件が、既に検索されている事例情報群に対する絞り込み検索条件として使用される条件である
ことを特徴とする付記１記載の事例情報集計装置。
【００６３】
（付記３）  前記検索条件リスト表示手段が、他の装置のディスプレイ上に前記検索条件リストを表示する手段である
ことを特徴とする付記１又は付記２に記載の事例情報集計装置。
【００６４】
（付記４）  コンピュータを、
医療に関する事例情報を記憶しておくための事例情報記憶手段と、
前記事例情報記憶手段からの事例情報の検索条件をオペレータに指定させるために、ディスプレイ上に、複数の検索条件が示された検索条件リストを表示する検索条件リスト表示手段であって、前記検索条件リストとして、前記複数の検索条件が、各検索条件を選択した際に検索されることになる事例情報の数に応じた順番で並んだものを表示する検索条件リスト表示手段
とを、備える装置として動作させることを特徴とする事例情報集計プログラム。
【００６５】
（付記５）  前記検索条件リスト表示手段が表示する検索条件リストに示される各検索条件が、既に検索されている事例情報群に対する絞り込み検索条件として使用される条件である
ことを特徴とする付記４記載の事例情報集計プログラム。
【００６６】
（付記６）  前記検索条件リスト表示手段が、他のコンピュータで実行されているＷｅｂブラウザのウィンドウ内に前記検索条件リストを表示する手段である
ことを特徴とする付記４又は付記５に記載の事例情報集計プログラム。
【００６７】
（付記７）  医療に関する事例情報を記憶しておくための事例情報データベースから事例情報を検索するための事例情報検索方法であって、
コンピュータに、
複数の検索条件のそれぞれについて、その検索条件を満たす事例情報を前記事例情報データベースから検索した際に検索されることになる事例情報の数を管理する管理ステップと、
前記事例情報データベースからの事例情報の検索条件をオペレータに指定させるために、ディスプレイ上に、前記複数の検索条件が，前記管理ステップにて各検索条件について管理されている前記事例情報の数に応じた順番で並んだ検索条件リストを表示する検索条件リスト表示ステップ
とを、実行させることを特徴とする事例情報検索方法。
【図面の簡単な説明】
【００６８】
【図１】本発明の一実施形態に係る事例情報集計装置の構成及び使用形態の説明図。
【図２】実施形態に係る事例情報集計装置が備える事例情報データベースの説明図。
【図３】実施形態に係る事例情報集計装置がクライアントＰＣに表示させることが可能な事例情報検索ページの説明図。
【図４】実施形態に係る事例情報集計装置がクライアントＰＣに表示させることが可能な事例情報検索ページの説明図。
【図５】実施形態に係る事例情報集計装置がクライアントＰＣに表示させることが可能な事例情報検索ページの説明図。
【図６】実施形態に係る事例情報集計装置が備えるリスト情報データベースに含まれるリスト情報テーブルの説明図。
【図７】実施形態に係る事例情報集計装置が実行するリスト情報データベース更新処理の流れ図。
【図８】実施形態に係る事例情報集計装置が実行する絞り込み検索ページ提供処理の流れ図。
【図９】実施形態に係る事例情報集計装置がクライアントＰＣに表示させることが可能な絞り込み検索ページの説明図。
【図１０】実施形態に係る事例情報集計装置がクライアントＰＣに表示させることが可能な絞り込み検索ページの説明図。
【図１１】実施形態に係る事例情報集計装置がクライアントＰＣに表示させることが可能な絞り込み検索ページの説明図。
【図１２】実施形態に係る事例情報集計装置が実行する絞り込み検索ページ提供処理の流れ図。
【符号の説明】
【００６９】
１０  事例情報集計装置
１１  事例情報集計プログラム
１２  事例情報データベース
１３  リスト情報データベース
２０  コンピュータ
２１  ＨＤＤ
３０  クライアントＰＣ
５１  項目名選択用ボックス
５１Ｂ，５２Ｂ  ボタン
５１Ｌ  項目名リスト
５２  項目値選択用ボックス
５２Ｌ  項目値リスト
５３  検索ボタン
５４  検索結果表示欄
【図１】
2006164003.tif 000003
【図２】
2006164003.tif 000004
【図３】
2006164003.tif 000005
【図４】
2006164003.tif 000006
【図５】
2006164003.tif 000007
【図６】
2006164003.tif 000008
【図７】
2006164003.tif 000009
【図８】
2006164003.tif 000010
【図９】
2006164003.tif 000011
【図１０】
2006164003.tif 000012
【図１１】
2006164003.tif 000013
【図１２】
2006164003.tif 000014